(57)【要約】【課題】内容物を押し上げた際、押し板と収納箱との間に隙間を生じさせず、簡単に押し上げることができ、かつ、簡単に元の位置に戻ることができると共に、その押し板の押し上げ動作を繰り返し行っても、容易に破損しないで、耐久性の高い収納容器を提供する。【解決手段】内容物（５）長さを収納高さとし、上面側に開閉可能な密封タブ（２２）を有する製品収納袋（２）と、製品収納袋を覆い、再封鎖可能な外蓋を有するスリーブ状の外装（１）とからなる包装容器において、外装底面板（１３）と外装底面に繋がる正面板（１２）と背面板（１４）の一部で構成され、周囲を折り罫で囲まれた押し上げ部（１５）を設けたことを特徴とする包装容器。【選択図】図１
2016030626.tif 000002
【特許請求の範囲】
【請求項１】
内容物長さを収納高さとし、上面側に開閉可能な密封タブを有する製品収納袋と、
製品収納袋を覆い、再封鎖可能な外蓋を有するスリーブ状の外装とからなる包装容器において、
外装底面板と底面板に繋がる正面板と背面板の一部で構成され、周囲を折り罫で囲まれた押し上げ部を設けたことを特徴とする包装容器。
【請求項２】
押し上げ部は、少なくとも外装底面板に繋がる正面板と背面板のいずれかが、底面板に繋がる接線を底辺にした形状の折り罫を有し、かつ、それらが底面に対し傾斜した斜面を有する形状であって、その頂点と、その頂点に対応した正面板あるいは背面板の点を結ぶ折り罫を設けたことを特徴とする請求項１に記載の包装容器。
【請求項３】
押し上げ部は、外装底面板に繋がる正面板と背面板が、それぞれ底面板に繋がる接線を底辺にした三角形状の折り罫を有し、かつ、それら三角形の頂点を結ぶ折り罫を設け、それら三角形の折り罫で囲まれた押し上げ部であることを特徴とする請求項１又は２に記載の包装容器。
【請求項４】
押し上げ部は、外装底面板に繋がる正面板と背面板が、それぞれ底面板に繋がる接線を底辺にしたドーム形状の折り罫を有し、かつ、それらドーム形の頂点同士の間を結ぶ折り罫を設け、それらドーム形の折り罫で囲まれた押し上げ部であることを特徴とする請求項１又は２に記載の包装容器。
【請求項５】
外装の正面板に脆弱線で形成されたロック部を設け、ロック部を外蓋の蓋正面板内面に接着したことを特徴とする請求項１〜４のいずれかに記載の包装容器。
【請求項６】
製品収納袋の形状を保持するフレームを製品収納袋内部に有することを特徴とする請求項１〜５のいずれかに記載の包装容器。
【請求項７】
フレームは外装の押上げ部に対応した底部近傍と上面側中央に板面を有しない形状としたことを特徴とする請求項１〜６のいずれかに記載の包装容器。
【請求項８】
押し上げ部と製品収納袋が接着してなることを特徴とする請求項１〜７のいずれかに記載の包装容器。
【発明の詳細な説明】
【技術分野】
【０００１】
本発明は、主として、板ガム、紙巻煙草など一定の長さを有する物を収納する包装容器であって、容易に内容物を取り出す事が可能な包装容器に関する。
【背景技術】
【０００２】
板ガムや紙巻煙草などが箱に入っている場合、箱から内容物を取り出しにくい問題があった。板ガムはアルミニウム箔を含む包装紙で包まれる場合が多く、紙巻煙草も側面全周に渡って紙で包まれている。このような紙で包装され、一定の長さがある内容物が整列して、隙間無く包装されている場合、包装紙同士の滑り性は小さく、摩擦抵抗力が大きい。通常、これらの内容物は箱に隙間無く入っていて、単に開口部を逆さにしても、排出されないことが多い。特に、内容物が板ガムや紙巻煙草などでは、製品同士の摩擦抵抗力に比べ、内容物の重さが小さく、振り出そうとしても、製品荷重に掛かる力が小さいので、容易に排出できないのである。
【０００３】
特許文献１では、複数枚のシートを立てて収納する収納箱において、この収納箱の底部に、斜めに持ち上げられて上記複数枚のシートをそれぞれ互いに異なる高さへ押し上げる押し板を設けたことを特徴とするシート収納箱を提案している。
さらに、上記押し板が、上記収納箱の底部に切欠をつけることにより形成されていることを特徴とするシート収納箱も提案している。
このシート収納箱の場合、押し板が切欠により形成されているので、押し板を斜めに押し上げた際、切欠と収納箱の背面の間に隙間ができ、その隙間に板状の収納物が入り込み押し上げることができない問題が発生する。
特に、切欠はコの字状に形成されている為、押し上げ動作を繰り返すことで、押し上げ板が破損することもあるなど、耐久性についても問題があった。
【先行技術文献】
【特許文献】
【０００４】
【特許文献１】特開昭６０−１８３３８０号公報
【発明の概要】
【発明が解決しようとする課題】
【０００５】
そこで、内容物を押し上げた際、押し板と収納箱との間に隙間を生じさせず、簡単に押し上げることができ、かつ、簡単に元の位置に戻ることができると共に、その押し板の押し上げ動作を繰り返し行っても、容易に破損しないで、耐久性の高い収納容器を得ることが、本発明の課題である。
【課題を解決するための手段】
【０００６】
本発明の請求項１に係る発明は、
内容物長さを収納高さとし、上面側に開閉可能な密封タブを有する製品収納袋と、
製品収納袋を覆い、再封鎖可能な外蓋を有するスリーブ状の外装とからなる包装容器において、
外装底面板と底面板に繋がる正面板と背面板の一部で構成され、周囲を折り罫で囲まれた押し上げ部を設けたことを特徴とする包装容器である。
【０００７】
本発明の請求項２に係る発明は、押し上げ部は、少なくとも外装底面板に繋がる正面板と背面板のいずれかが、底面板に繋がる接線を底辺にした形状の折り罫を有し、かつ、それらが底面に対し傾斜した斜面を有する形状であって、その頂点と、その頂点に対応した
正面板あるいは背面板の点を結ぶ折り罫を設けたことを特徴とする請求項１に記載の包装容器である。
【０００８】
本発明の請求項３に係る発明は、押し上げ部は、外装底面板に繋がる正面板と背面板が、それぞれ底面板に繋がる接線を底辺にした三角形状の折り罫を有し、かつ、それら三角形の頂点を結ぶ折り罫を設け、それら三角形の折り罫で囲まれた押し上げ部であることを特徴とする請求項１又は２に記載の包装容器である。
【０００９】
本発明の請求項４に係る発明は、押し上げ部は、外装底面板に繋がる正面板と背面板が、それぞれ底面板に繋がる接線を底辺にしたドーム形状の折り罫を有し、かつ、それらドーム形の頂点同士の間を結ぶ折り罫を設け、それらドーム形の折り罫で囲まれた押し上げ部であることを特徴とする請求項１又は２に記載の包装容器である。
【００１０】
本発明の請求項５に係る発明は、外装の正面板に脆弱線で形成されたロック部を設け、ロック部を外蓋の蓋正面板内面に接着したことを特徴とする請求項１〜４のいずれかに記載の包装容器である。
【００１１】
本発明の請求項６に係る発明は、製品収納袋の形状を保持するフレームを製品収納袋内部に有することを特徴とする請求項１〜５のいずれかに記載の包装容器である。
【００１２】
本発明の請求項７に係る発明は、フレームは外装の押上げ部に対応した底部近傍と上面側中央に板面を有しない形状としたことを特徴とする請求項１〜６のいずれかに記載の包装容器である。
【００１３】
本発明の請求項８に係る発明は、押し上げ部と製品収納袋が接着していることを特徴とする請求項１〜７のいずれかに記載の包装容器である。
【発明の効果】
【００１４】
本発明の包装容器は、細長い内容物を整列して収納し、それを上方へ押し出すのに、製品毎に高さを違えて押し出すので、取り出し易い。また、押し出す底面近傍は袋が閉じていて、異物が混入したりする恐れが無いので、清潔である。
さらに、押し出す外装底面と収納袋が接着されているので、異物が入る隙間が無く、異物による動作不良が起こり難い。
また、底面が切り欠かれていないので、耐久性も高く、繰り返し底部を上下させても、破損し難い。
さらに、接着されたロック部を破断しないと開封できないようになっているので、バージン性も担保される。
【図面の簡単な説明】
【００１５】
【図１】本発明の包装容器の一例で、外装の開封前の状態と、外装を開封した状態と、外装を再度閉じた状態を示す斜視図である。
【図２】本発明の包装容器の一例で、密封タブを開けた状態と、押し上げ部を押し上げ、内容物を取り出し易いように突き出させた状態を示す斜視図である。
【図３】本発明の包装容器の一例で、外装を閉じている状態と、外装を開封した状態を示す側面から見た縦断面図である。
【図４】本発明の包装容器の一例で、密封タブを開けた状態と、押し上げ部を押し上げ、内容物を取り出し易いように突き出させた状態を示す側面から見た縦断面図である。
【図５】本発明の包装容器の一例で、外装を閉じている状態と、押し上げ部を押し上げ、内容物を取り出し易いように突き出させた状態を示す正面側から見た縦断面図である。
【図６】本発明の包装容器に使用される外装の一例を示す展開図である。
【図７】本発明の包装容器に使用される第２の実施形態例を示す展開図である。
【図８】本発明の包装容器に使用される第３の実施形態例を示す展開図である。
【図９】本発明の包装容器に使用される第４の実施形態例を示す展開図である。
【図１０】本発明の包装容器において、製品収納袋と、製品収納袋に密封タブを開口部に貼った状態の正面側から見た斜視図である。
【図１１】本発明の包装容器において、製品収納袋に密封タブを開口部に貼った状態の裏面側から見た状態と、密封タブを上げて開口した状態の斜視図である。
【図１２】本発明の包装容器に使用されるフレームの一例で、その展開図と、組み立てた状態の斜視図である。
【発明を実施するための形態】
【００１６】
以下、本発明の包装容器の実施形態例について、図を用いて詳細に説明する。
図１は本発明の包装容器の一例で、図１−１は外装１の開封前の状態における斜視図である。
外装１は、開閉可能な蓋部を有するスリーブ状になっており、正面板１２、底面板１３、背面板１４、蓋部１１の順に繋がって、ほぼ筒状をしている。
蓋部１１には蓋正面板１１１、蓋上面板１１２が順に繋がり、蓋上面板１１２は、背面板１４にヒンジ１１００で繋がっている。
さらに、蓋正面板１１１の先端が正面板１２に接着されている。
【００１７】
図１−２は、外装１を開封した状態を示す斜視図である。
本発明の包装容器における開封方法を示す。外装１を開封する前は、蓋正面板１１１の先端近傍は、正面板１２中央に設けられたロック部１２１に接着して固定されている。
蓋正面板１１１の先端を手前側に引出して、ロック部１２１の外周に設けられた脆弱線１２１０を切断する。
外周の脆弱線１２１０が切れたロック部１２１は単独で蓋正面板１１１の内面に接着した状態となるので、ヒンジ１１００を中心に蓋部１１を回動させることができる。
ヒンジ１１００を中心に蓋部１１を回動させ、蓋部１１で覆っていた包装容器の上部全体を開くと、製品収納袋２の取出し口２１を覆う密封タブ２２が現われる。
【００１８】
図１−３は、外装１を再度閉鎖した状態を示す斜視図である。
ヒンジ１１００を回動して蓋１１を閉じ、蓋正面板１１１先端を差込み口１２２に挿入して、正面板１２と製品収納袋２との間の隙間に挟みこませる。そうして、蓋１１を閉鎖するので、不用意に外装１が開けられることを防ぐように設計されている。
【００１９】
図２−１は、蓋部１１を開け、製品収納袋２の密封タブ２２を剥離して、取出し口２１が開口した状態を示す斜視図である。
密封タブ２２には、先端に粘着層を持たないタブ摘み部２２１を設け、タブ摘み部２２１と取出し口２１に対応する面以外の部分には開閉自在なタックを有する粘着塗布部２２２が設けられ、開封、再密封可能な密封タブ２２になっている。
この為、密封タブ２２の粘着塗布部２２２に用いられる粘着剤は再接着が可能な粘着樹脂層を有するシートからなるばかりではなく、製品収納袋２の表面にもポリエチレンなどの樹脂層を設けて、粘着層によって剥離したりして破壊されない表面にしている。
密封タブ２２の取出し口２１対応部分は、取出し口設定の全周周囲に予めミシン目を付けておき、密封タブ２２の粘着力で、密封タブ２２を製品収納袋から剥離する時に切断させる方法でも良い。
切り取られた取出し口２１部分の製品収納袋素材が、密封タブ２２の取出し口２１対応部分に接着するので、内容物が密封タブの粘着塗布部２２２に接して付着してしまうことが無い。この方法では、予め密封タブ２２の粘着塗布部の取出し口２１対応部分を非粘着塗布部にする方法に比べ、密封タブ２２の貼り位置規制など、細やかな調整が要らなくなる
などのメリットがある。
【００２０】
図２−２は、密封タブ２２を開け、押し上げ部１５を押し上げた状態である。
押し上げ部１５は、外装の底面板１３と外装底面に繋がる正面板１２と背面板１４の下側部分で構成され、押し上げ部１５の周囲を折り罫で囲まれている。押し上げる時には、正面板１２や背面板１４の下端を前後に押し広げながら底面板１３を押し上げる。
外装底面板１３を押し上げると、その押し上げた形状に倣って製品５の下端が押され、製品５の上端が取出し口２１から飛び出して来る。
押し上げ部１５内側を製品収納袋２と接着させておくと、押し上げる時に収納袋が追順し易いばかりでなく、容器を閉じる場合も、元の形状に戻り易いと共に、異物が入り込み難いなどメリットがある。
【００２１】
図３は、本発明の包装容器の第１の実施形態例における側面から見た縦断面図で、図３−１は外装１の開封前の閉じている状態である。
製品５を収納する製品収納袋２の内側にはフレーム４があって、製品収納袋２の形状を保っている。フレーム４は、底面板１３を押し上げることを妨げないようにする為、底面がないだけでなく、フレーム４の正面と背面における下側中央が切り欠かれている。
製品収納袋の高さは、製品５の高さにほぼ合わせていて、底面から押し上げた時に容易に取出し口から製品先端が出るようになっている。
製品収納袋２の周囲には外装１がある。外装１は上面板１６に大きな切り欠きがあり、切り欠き部分は製品を取り出す取出し口になっている。上面板１６の先には背面のりしろ１７が設けられ、上面板１６、正面板１２、底面板１３、背面板１４へと、順に折り罫で繋がり、背面板１４が背面のりしろ１７と繋がることで、４角形の筒状に形成されている。さらに、背面板１４には蓋部１１がヒンジ１１００で繋がり、蓋部は蓋上面板１１２と蓋正面板１１１からなっている。
【００２２】
図３−２は、外装を開封した状態を示す、側面から見た縦断面図である。
蓋正面板１１１の先端を手前側に引出して、蓋正面板１１１内面に接着されたロック部１２１の外周に設けられた脆弱線を切断して、ロック部１２１が正面板１２から離れると、蓋正面板１１１がヒンジ１１００を中心に蓋部１１を回動させることができる。
蓋部１１において、蓋上面板１１２と蓋正面板１１１の間の折り罫でも回動して、上面側がより大きく開くようになっている。
そして、蓋部１１で覆っていた包装容器の上部全体が開かれ、製品収納袋２の取出し口２１を覆う密封タブ２２が現われる。
【００２３】
図４−１では、蓋部１１を開けた包装容器において、製品収納袋２の密封タブ２２を剥離して、取出し口２１が開口した状態を示す、側面側から見た斜視図である。
密封タブ２２の先端に粘着層を持たないタブ摘み部２２１があり、タブ摘みを掴んで、再密封可能な密封タブ２２の上面部分を引き剥がして開封する。左右に上面板１６が分かれてあり、製品収納袋２を押さえているので、引き剥がし易くなっている。
【００２４】
図４−２は、容器底面板１３近傍の押し上げ部１５を押し上げることで、製品５を押し上げ、製品先端が取出し口２１から少し飛び出すようにしている。
この状態に製品５を押し上げると製品５の上部が製品収納袋２から顔を出しているので、製品５を掴み易くなる。
外装１の押し上げ部１５と製品収納袋２を両面粘着テープやホットメルト接着剤などの接着剤１５３で接着しておくと、追随して製品を上昇させ易く、かつ、閉じる時も容易に製品収納袋２を下側に納め易くなる。
【００２５】
図５−１は外装を閉じている状態における正面側から見た縦断面図である。
製品５は縦に向いて、横に並んで収納され、下端は底面板１３で支えられ、上端は密封タブ２１や蓋上面板１１２で押さえられている。
製品の左右にはフレーム４があって、製品収納袋２を支えている。
また、底面板を中心とした押し上げ部１５中央に押し上げ折り罫１５１がある。
【００２６】
図５−２は蓋部１１と密封タブ２２を開け、押し上げ部１５を押し上げた状態を示す正面側から見た縦断面図である。
押し上げ部１５の押し上げ折り罫１５１を中心に押し上げられるので、押し上げ折り罫１５１の直ぐ上にあった製品５が一番高く押し上げられる。さらに、押し上げ部１５は傾斜を設けているので、隣り合う製品５の押し上げられる高さが、それぞれ少しずつ異なっている。その為、製品をひとつだけ掴んで排出することが簡単に行うことが出来る。
【００２７】
図６は、第１の実施形態における外装１の展開図である。
上から蓋部１１の蓋正面板１１１、蓋上面板１１２が折り罫を介して連らなり、さらに、ヒンジ１１００を介して、背面板１４、底面板１３、正面板１２、上面板１６、背面のりしろ１７が折り罫を介して繋がっている。
押し上げ部１５は、外装底面板１３に繋がり正面板１２と背面板１４に掛かる部分が、それぞれ底面板１３に繋がる接線１５４を底辺にした三角形状の折り罫を有している。かつ、それら三角形状の頂点１５２を結ぶ押し上げ折り罫１５１を設け、それら三角形の折り罫で囲まれた押し上げ部１５になっている。この為、押し上げ部１５を押し上げた時、押し上げる面は傾斜面である。
それゆえ、製品５の下端が押し上げ部で押されると、押し上げ折り罫１５１の直ぐ上にあった製品５が一番高く押し上げられる。さらに、隣り合う製品５の押し上げられる高さが、それぞれ少しずつ異なって上がる。その結果、製品をひとつだけ掴んで排出することが簡単に行える。
この押し上げ部１５に、製品収納袋２と接着可能な手立てを行っておくことが望ましい。押し上げ部中央には両面粘着テープなどの接着部１５３を設け、製品収納袋２の底面に接着し、押し上げ、収納における製品収納袋の押し上げ部に対する追随を確実にできるようにしておくと良い。
又、押し上げ折り罫１５１は、正面板１２と背面板１４に掛かる折り罫三角形の頂点１５２同士を結んでいるが、それぞれの頂点よりも上記三角形の高さ相当程さらに延長して正面板１２と背面板１４に伸ばすと、容易に変形して押し上げやすくなる。
しかも、この押し上げ部のように外装底面板１３に繋がり正面板１２と背面板１４に掛かる部分が三角形状の折り罫を有している場合、一番簡単に元の形状に戻ることができるので、作業性が高いメリットがある。
【００２８】
正面板１２、上面板１６、背面のりしろ１７に渡って、製品取り出し用の大きな切り欠きが設けられている。少なくとも密封タブ２２の正面側と上面側が塞がれないで、かつ、タブ摘み部２２１周囲にさらに爪が入るいくらかの隙間を設けた切り欠きが必要である。また、この切り欠きに続いてロック部１２１が設けられている。ロック部１２１は、周囲を脆弱線１２１０が形成され、正面板１２から手の力で容易に切り離されるようになっている。さらに、ロック部１２１は組立て時には蓋正面板１１１の内面に接着するように、両面粘着テープやホットメルト接着剤のような接着剤１２１１が貼り付けあるいは塗工されている。
さらに、のりしろ１７には両面粘着テープやホットメルト接着剤のようなのりしろ接着剤１７１が貼り付けあるいは塗工されている。背面板１４のヒンジ近傍にあるのりしろ接着部１７０に貼り付けられるので、外装１は筒状に組み立てられる。
【００２９】
図７は、第２の実施形態における外装１の展開図である。
第４の実施形態では、押し上げ部１５の正面板１２、背面板１４に掛かる形状を三角形で
はなく台形としたものである。背面板１４に掛かる形状が三角形に比べ、製品を押し出した後における底面板の戻り易さは低下するが、製品が軟らかなものの場合、押し出すときの変形しないで押し上げることができるなどの対応に使用できる。
【００３０】
図８は、第３の実施形態における外装１の展開図である。
第５の実施形態では、押し上げ部１５の正面板１２、背面板１４に掛かる形状を三角形ではなくドーム形状としたものである。背面板１４に掛かる形状が三角形に比べ、製品を押し出した後における底面板の戻り易さは低下するが、ドーム形状に押し出した状態は、中央が高くそれぞれ段差がある高さに押し出され、傾斜面が曲線で構成されるので、形状的にも無理がでない形状なので押し上げ易い形状の例である。この場合、押し上げ折り罫１５１を多数設ける。
【００３１】
図９は、第４の実施形態における外装１の展開図である。
第６の実施形態では、ロック部を出来るだけ上方に移動させ、差込み口１２１０を独立したものである。差込み口が切り込みになって、上下に壁があるので、しっかり蓋正面板１１１を挟み込み、蓋の跳ね上がりを防止する形状になっている。
密封タブのタブ摘み部２２１を出来るだけ小さくして対応している。
【００３２】
図１０−１は、製品収納袋２の外観を示す斜視図である。
取出口２１は６面体である製品収納袋２の一面だけに設け、他の面には延長して設けられることはしない。なぜなら、密封タブ２２が安定して再度密封可能にするため、粘着塗布部が貼られる取出口２１周囲を平面として固定しておくことが望ましいからである。
特にシール部分は厚みが大きく変化し、面が平らに保てないので、密封しにくいので、取出口２１を設ける面には、背シール２３や左サイドシール２４や右サイドシール２５などのシール部分が来ない様に設計することが好ましい。
図１０−２のように、密封タブ２２が粘着して密封される。密封タブ２２の貼り付け方向はこの図の方向に限ることはない。内容物が棒状の製品で、製品収納袋２の全幅の製品で無かった場合で、上面に密封タブの貼りしろが設けられるなら、図１０−３のように、剥離方向を横向きにしても良い。
【００３３】
図１１−１は図１０−２の反対方向から見た斜視図である。製品収納袋２の背シール２３位置は、出来れば下側の端に寄せることが好ましく、底面側に設けても良い。製品収納袋における左サイドシール２４と右サイドシール２５部分は、通常の袋における天シール、地シールを左右方向になるように９０度回転させた形状であるが、必ずしもこのようなシールでなくてもかまわない。出来るだけ６面体に形状を維持出来易いシールが好ましい。
図１１−２は、密封タブ２２を開封した状態で、この図のように、粘着塗布部２２２は、取出口２１対応部分とタブ摘み部２２１から外すことが好ましい。
【００３４】
製品収納袋２の構成フィルムは、内容物に対して必要な保存性によるが、外側から
ポリエチレン／ポリエチレンテレフタレート／アルミニウム箔／ポリエチレン／ポリアミド／ポリエチレン、
ポリプロピレン／アルミニウム箔／ポリエチレン／ポリアミド／ポリエチレン、
ポリエチレンテレフタレート／アルミニウム箔／ポリエチレン、
ポリプロピレン／アルミニウム箔／ポリエチレン／紙／ポリエチレン、
などが考えられる。
アルミニウム箔は香りを逃がさない役目を担い、厚みは５〜１５マイクロメーターにする。酸化珪素蒸着のポリエチレンフィルムなどで代用しても良い。また、ポリエチレンテレフタレートフィルムの厚みは６〜２５マイクロメーターなどが使用できる。
これらのフィルムは、通常のドライラミネーション機、エクストルーダーラミネート機な
どで製造できる。
【００３５】
図１２は、フレーム４の一例で、図１２−１はその展開図、図１２−２は組立図である。
フレーム４は、少なくとも上部が開口した断面が長方形状の筒型になったものである。
フレーム４は製品収納袋２の内部に配置する。特に、製品収納袋の内寸とフレームの大きさに大きな差がない場合、製品収納袋２とフレーム４をしっかり接着固定しなくても、形状を保ち易く、その役目を発揮し易い。
このフレーム４は、底側は無く、中央が切り欠かれ、押し上げ部を押し上げるのに支障なく作られている。
【００３６】
本発明の外装１やフレーム４を形作る基材の紙は、収納する内容物の重量によって厚みを調整し、容量が大きいほど厚くする。通常、紙の厚みである坪量は、１２０ｇ／ｍ２から４００ｇ／ｍ２の範囲で使用可能である。また、紙の密度を０．６〜１．１ｇ／ｃｍ３の範囲にする。
また、積層シートにして、基材の紙に対し、内面や外面、又は両面に熱可塑性樹脂を用い耐水性を向上させても良く、材質は特に限定されない。
【００３７】
本発明の包装容器は以上のようなもので、細長い内容物を整列して収納し、押し上げ部を押し上げることによって、縦に整列された製品の高さを変えて製品収納袋から飛び出させることができるので、容易にひとつずつ取り出しやすい。
しかも、簡単に底面板が元に戻ることができるので、しまうときにも作業し易い。
また、押し出す底面近傍は袋が閉じていて、異物が混入したりする恐れが無いので、清潔である。
さらに、押し出す外装底面と収納袋が接着されているので、異物が入る隙間が無く、異物による動作不良が起こり難い。
また、底面が切り欠かれていないので、耐久性も高く、繰り返し底部を上下させても、破損し難い。
さらに、接着されたロック部を破断しないと開封できないようになっているので、バージン性も担保されると共に、通常の生産機械で量産ができるので、生産性も高く、コストの上昇も最低限に抑えられるなど、メリットが大きい。
【符号の説明】
【００３８】
１・・・・・・・・・外装
１１・・・・・・・・蓋部
１１００・・・・・・ヒンジ部
１１１・・・・・・・蓋正面板
１１２・・・・・・・蓋上面板
１２・・・・・・・・正面板
１２１・・・・・・・ロック部
１２１０・・・・・・脆弱線
１２１１・・・・・・接着剤
１２２・・・・・・・差込み口
１３・・・・・・・・底面板
１４・・・・・・・・背面板
１５・・・・・・・・押し上げ部
１５１・・・・・・・押し上げ折り罫
１５２・・・・・・・頂点
１５３・・・・・・・接着部
１５４・・・・・・・接線
１６・・・・・・・・上面板
１７・・・・・・・・背面のりしろ
１７０・・・・・・・のりしろ接着部
１７１・・・・・・・のりしろ接着剤
２・・・・・・・・・製品収納袋
２１・・・・・・・・取出口
２２・・・・・・・・密封タブ
２２１・・・・・・・タブ摘み部
２２２・・・・・・・粘着塗布部
２３・・・・・・・・背シール
２４・・・・・・・・左サイドシール
２５・・・・・・・・右サイドシール
４・・・・・・・・・フレーム
４１・・・・・・・・フレーム正面板
４２・・・・・・・・フレーム背面板
４３・・・・・・・・フレーム左側面板
４４・・・・・・・・フレーム右側面板
５・・・・・・・・・製品
【図１】
2016030626.tif 000003
【図２】
2016030626.tif 000004
【図３】
2016030626.tif 000005
【図４】
2016030626.tif 000006
【図５】
2016030626.tif 000007
【図６】
2016030626.tif 000008
【図７】
2016030626.tif 000009
【図８】
2016030626.tif 000010
【図９】
2016030626.tif 000011
【図１０】
2016030626.tif 000012
【図１１】
2016030626.tif 000013
【図１２】
2016030626.tif 000014